(57)【要約】【課題】  所望のデータ放送番組の最新情報を簡単に閲覧できるようにする。【解決手段】  データ放送を受信するチューナー１１と、更新通知対象であるデータ放送番組に関する文書情報および文書構成が関連付けられて格納される記憶部４０と、チューナー１１にて現在受信されているデータ放送に、記憶部４０に格納されている文書情報を含むコンテンツがあるかどうかを確認する更新通知対象文書確認部２１と、文書情報を含むコンテンツがある場合に、該コンテンツの文書構成と記憶部４０に格納された対応する文書構成とを比較し、上記レイアウトが同一で上記実データが異なる場合に、データ更新がなされたと判断するとともに、記憶部４０に格納された対応する文書構成を上記比較したコンテンツの文書構成に基づいて更新する文書更新判定部２２と、データ更新がなされたと判断されると、その旨のメッセージを出力部３に出力する更新通知部２３とを有する。【選択図】図１
2005277855.tif 000002
【特許請求の範囲】
【請求項１】
番組を特定可能な文書情報と放送画面を構成する基本的なレイアウトおよび実データに関する文書構成とからコンテンツが構成された少なくとも一つのデータ放送番組を含むデータ放送を受信するチューナーと、
更新通知対象であるデータ放送番組に関する前記文書情報および文書構成が関連付けられて格納される記憶部と、
前記チューナーにて現在受信されているデータ放送に、前記記憶部に格納されている文書情報を含むコンテンツがあるかどうかを確認する更新通知対象文書確認部と、
前記更新通知対象文書確認部にて前記記憶部に格納されている文書情報を含むコンテンツがあると判断されると、該コンテンツの文書構成と前記記憶部に格納された対応する文書構成とを比較し、前記レイアウトが同一で前記実データが異なる場合に、データ更新がなされたと判断するとともに、前記記憶部に格納された対応する文書構成を前記比較したコンテンツの文書構成に基づいて更新する文書更新判定部と、
前記文書更新判定部にてデータ更新がなされたと判断されると、その旨のメッセージを外部の表示装置に出力する更新通知部とを有することを特徴とするデジタル放送受信装置。
【請求項２】
番組を特定可能な文書情報と放送画面を構成する基本的なレイアウトおよび実データに関する文書構成とからコンテンツが構成された少なくとも一つのデータ放送番組を含むデータ放送を受信する複数のチューナーと、
複数の受信チャンネルについて、更新通知対象であるデータ放送番組に関する前記文書情報および文書構成がそれぞれの受信チャンネルを特定可能なチャンネル情報と関連付けて格納される記憶部と、
前記記憶部に格納された各チャンネル情報に対応する受信チャンネルの範囲で前記複数のチューナーのうち所定のチューナーにおける受信チャンネルの設定を周期的に切り替えるチャンネル自動設定部と、
前記所定のチューナーにて現在受信されているデータ放送に、前記記憶部に格納されている文書情報を含むコンテンツがあるかどうかを確認する更新通知対象文書確認部と、
前記更新通知対象文書確認部にて前記記憶部に格納されている文書情報を含むコンテンツがあると判断されると、該コンテンツの文書構成と前記記憶部に格納された対応する文書構成とを比較し、前記レイアウトが同一で前記実データが異なる場合に、データ更新がなされたと判断するとともに、前記記憶部に格納された対応する文書構成を前記比較したコンテンツの文書構成に基づいて更新する文書更新判定部と、
前記文書更新判定部にてデータ更新がなされたと判断されると、その旨のメッセージを外部の表示装置に出力する更新通知部とを有することを特徴とするデジタル放送受信装置。
【請求項３】
前記チャンネル自動設定部は、前記所定のチューナーに設定した現在の受信チャンネルを前記更新通知対象文書確認部に通知し、
前記更新通知対象文書確認部は、前記チャンネル自動設定部から通知された現在の受信チャネルに対応するチャンネル情報と関連付けられて前記記憶部に格納されている文書情報に基づいて前記確認を行う、請求項２に記載のデジタル放送受信装置。
【請求項４】
前記チャネル自動設定部は、前記受信チャンネルの設定の切り替え周期が調節可能に構成されている、請求項２に記載のデジタル放送受信装置。
【請求項５】
前記更新通知部は、前記メッセージと一緒に前記データ更新がなされた番組へ直接移行するためのジャンプボタンを前記外部の表示装置に表示させる、請求項１乃至４のいずれか１項に記載のデジタル放送受信装置。
【請求項６】
入力操作部と、
前記現在受信されているデータ放送に含まれているデータ放送番組のコンテンツを解析するとともに、前記入力操作部にて指定された番組に関するデータを出力するデータコンテンツ解析部と、
前記データコンテンツ解析部から出力されたデータに基づいて表示データを生成して前記外部の表示装置へ出力する表示データ生成部と、
前記入力操作部にて更新通知対象文書を設定する旨の入力がなされると、前記表示装置に現在表示されているデータ放送番組の前記文書情報および文書構成を前記データコンテンツ解析部から取得して前記記憶部に格納する更新通知対象文書設定部とをさらに有する、請求項１乃至５のいずれか１項に記載のデジタル放送受信装置。
【請求項７】
前記更新通知対象文書設定部が、予め設定された学習期間において、前記データコンテンツ解析部および表示データ生成部によって前記外部の表示装置に表示されたデータ放送番組の履歴をとるとともに、該履歴に基づいて、所定の回数以上の表示がなされたデータ放送番組を更新通知対象として前記記憶部に登録する、請求項６に記載のデジタル放送受信装置。
【請求項８】
前記更新通知対象文書設定部が、所定の回数以上の表示がなされたデータ放送番組の一覧を前記外部の表示装置に表示させるとともに、該表示した一覧から前記入力操作部にて指定入力された番組を更新通知対象として前記記憶部に登録する、請求項７に記載のデジタル放送受信装置。
【請求項９】
データ放送番組毎に、可変要素を含むデータ更新要約作成用の定型文が予め格納された要約定型文記憶部をさらに有し、
前記更新通知部が、前記要約定型文記憶部から前記文書更新判定部にてデータ更新がなされたと判断された番組に関する定型文を取得するとともに、該取得した定型文の可変要素に対応する情報を前記データコンテンツ解析部から取得して該定型文に組み込むことで要約を作成し、該作成した要約を前記外部の表示装置に出力する、請求項６に記載のデジタル放送受信装置。
【請求項１０】
文書更新判定部にてデータ更新がなされたと判断した番組について、データコンテンツ解析部から表示データ生成部を通じて表示データを取得するとともに、該取得した表示データを適当なサイズに縮小してサムネイル画像データを生成し、該生成したサムネイル画像データを前記外部の表示装置に出力するサムネイル画像生成部をさらに有する、請求項６に記載のデジタル放送受信装置。
【請求項１１】
番組を特定可能な文書情報と放送画面を構成する基本的なレイアウトおよび実データに関する文書構成とからコンテンツが構成された少なくとも一つのデータ放送番組を含むデータ放送を受信するチューナーを有する受信装置において行われるデータ放送更新通知方法であって、
更新通知対象であるデータ放送番組に関する前記文書情報および文書構成を関連付けて前記受信装置の記憶部に格納する第１のステップと、
前記チューナーにて現在受信されているデータ放送に、前記記憶部に格納されている文書情報を含むコンテンツがあるかどうかを確認する第２のステップと、
前記第２のステップでコンテンツがあると判断された場合に、該コンテンツの文書構成と前記記憶部に格納された対応する文書構成とを比較し、前記レイアウトが同一で前記実データが異なる場合にデータ更新がなされたと判断する第３のステップと、
前記第３のステップでデータ更新がなされたと判断された場合に、その旨のメッセージを外部の表示装置に表示させるとともに、前記記憶部に格納された対応する文書構成を前記比較したコンテンツの文書構成に基づいて更新する第４のステップとを含むデータ放送更新通知方法。
【請求項１２】
番組を特定可能な文書情報と放送画面を構成する基本的なレイアウトおよび実データに関する文書構成とからコンテンツが構成された少なくとも一つのデータ放送番組を含むデータ放送を受信する複数のチューナーを有する受信装置において行われるデータ放送更新通知方法であって、
複数の受信チャンネルに関するデータ放送番組について、前記文書情報および文書構成をそれぞれの受信チャンネルを特定可能なチャンネル情報と関連付けて前記受信装置の記憶部に格納する第１のステップと、
前記記憶部に格納された各チャンネル情報に対応する受信チャンネルの範囲で前記複数のチューナーのうちの所定のチューナーにおける受信チャンネルの設定を周期的に切り替える第２のステップと、
前記所定のチューナーにて現在受信されているデータ放送に、前記記憶部に格納されている文書情報を含むコンテンツがあるかどうかを確認する第３のステップと、
前記第３のステップでコンテンツがあると判断された場合に、該コンテンツの文書構成と前記記憶部に格納された対応する文書構成とを比較し、前記レイアウトが同一で前記実データが異なる場合にデータ更新がなされたと判断する第４のステップと、
前記第４のステップでデータ更新がなされたと判断された場合に、その旨のメッセージを外部の表示装置に表示させるとともに、前記記憶部に格納された対応する文書構成を前記比較したコンテンツの文書構成に基づいて更新する第５のステップとを含むデータ放送更新通知方法。
【請求項１３】
前記所定のチューナーに設定されている現在の受信チャンネルを取得し、該取得した受信チャンネルに対応するチャンネル情報と関連付けられて前記記憶部に格納されている文書情報に基づいて前記第３のステップにおける確認を行う、請求項１２に記載のデータ放送更新通知方法。
【請求項１４】
前記第２のステップにおける受信チャンネルの設定の切り替え周期が、前記受信装置に備えられた入力操作部から入力されるチャネル切り替え周期である、請求項１２に記載のデータ放送更新通知方法。
【請求項１５】
前記メッセージと一緒に前記データ更新がなされた番組へ直接移行するためのジャンプボタンを前記外部の表示装置に表示させるステップをさらに含む、請求項１１または１２に記載のデータ放送更新通知方法。
【請求項１６】
前記第１のステップは、前記受信装置に備えられた入力操作部にて更新通知対象文書を設定する旨の入力がなされると、前記表示装置に現在表示されているデータ放送番組の前記文書情報および文書構成を前記記憶部に格納するステップを含む、請求項１１または１２に記載のデータ放送更新通知方法。
【請求項１７】
前記第１のステップは、
予め設定された学習期間において、前記外部の表示装置に表示されたデータ放送番組の履歴をとるステップと、
前記履歴に基づいて、所定の回数以上の表示がなされたデータ放送番組を更新通知対象として前記記憶部に登録するステップとを含む、請求項１１または１２に記載のデータ放送更新通知方法。
【請求項１８】
前記第１のステップは、
前記所定の回数以上の表示がなされたデータ放送番組の一覧を前記外部の表示装置に表示させるステップと、
前記表示した一覧から前記入力操作部にて指定入力された番組を更新通知対象として前記記憶部に登録するステップとをさらに含む、請求項１７に記載のデータ放送更新通知方法。
【請求項１９】
データ放送番組毎に、可変要素を含むデータ更新要約作成用の定型文を前記記憶部に格納するステップと、
前記記憶部から前記データ更新がなされたと判断された番組に関する定型文を取得するステップと、
前記現在受信されているデータ放送から前記取得した定型文の可変要素に対応する情報を取得して該定型文に組み込むことで要約を作成し、該作成した要約を前記メッセージとして表示するステップとをさらに含む、請求項１１または１２に記載のデータ放送更新通知方法。
【請求項２０】
前記データ更新がなされたと判断した番組について、前記現在受信されているデータ放送から表示データを作成するステップと、
前記作成した表示データを適当なサイズに縮小してサムネイル画像データを生成するステップと、
前記生成したサムネイル画像データを前記外部の表示装置に表示させるステップとをさらに含む、請求項１１または１２に記載のデータ放送更新通知方法。
【発明の詳細な説明】
【技術分野】
【０００１】
本発明は、デジタルデータ放送を受信する装置および方法に関するものである。
【背景技術】
【０００２】
最近、地上波デジタル放送によるデータ放送サービスが注目を浴びている。データ放送サービスは、地上波でテレビの映像や音声を送ると同時に、画像や文字などのデータ放送番組も送る、というものであり、放送局ごとに、ニュース、交通情報、気象情報、株価情報などの番組からなるデータ放送番組が放送される。データ放送の受信には、専用のデジタルチューナーを使用する。通常、データ放送画面上には各番組の項目が表示されるようになっており、ユーザは、リモートコントロール（以下、単にリモコンと称す）などを使用して、それらの表示項目から任意の項目を選択入力することで、所望の番組を表示させることができる。また、ユーザは、リモコンによる操作により、データ放送番組の表示、非表示を任意に選択することもできる。
【０００３】
データ放送サービスをよりユーザにとって利用し易いものとするために、様々な機能を備えた受信装置が提案されている。例えば、特許文献１には、テレビ番組に連動する形でデータ放送番組の表示内容が更新される番組連動型のデータ放送番組について、データ放送番組の表示内容が更新された場合に、更新前の内容を再表示できるようにしたデータ放送受信装置が提案されている。データ放送では、通常、一定周期で同一内容のデータを送信する、データカルーセルと呼ばれる伝送方式を採用しており、受信側では、データ放送番組のデータを受信すると、前回受信したデータを今回受信したデータで書き換える、といった処理が行われる。このため、ユーザは、見逃したデータ放送番組の内容を再表示させることはできない。特許文献１に記載のものでは、受信される表示名称記述ファイルの内容が更新されると、更新前のデータを別の場所に保存するようになっており、これにより、見逃したデータ放送番組の内容を再表示させることができる。
【特許文献１】特開平１１−２６１９７９号公報
【発明の開示】
【発明が解決しようとする課題】
【０００４】
気象情報や株価情報などの独立型のデータ放送番組は、番組連動型のものと違って常に表示している必要はなく、通常は、ユーザが必要に応じて表示する。独立型のデータ放送番組の場合、その表示内容は定期的に更新されるが、その更新がいつ行われるかは、これまでユーザ側で知ることはできなかった。このため、ユーザは、例えば最新の株価情報を得るためには、株価の番組を常に表示しておく、あるいは、株価の番組への表示切り替えを何回も行う必要があった。しかし、株価番組を常に表示した場合は、他のデータ放送番組を閲覧することができなくなる。加えて、テレビ放送番組をデータ放送番組と一緒に表示されている場合に、テレビ放送番組の表示領域が、データ放送番組の表示により制限されるため、非常に見難いものとなる。他方、表示切り替えを何回も行うことは、ユーザにとって、非常に煩わしい。このように、従来は、気象情報や株価情報などの独立型のデータ放送番組において、最新情報を閲覧するといった場合に、ユーザにとって、決して使い勝手の良いものとは言えなかった。
【０００５】
特許文献１に記載のものにおいては、番組連動型のデータ放送番組の更新を判断することは可能である。しかし、このデータ更新の判断は、単に、タイトル名などの更新を判断しているだけであり、気象情報や株価情報などのデータ放送番組の表示内容（実データ）の更新を判断することはできない。よって、特許文献１に記載のものにおいても、番組内容の更新をユーザ側で知ることはできないため、最新の番組情報を得るためには、番組を常に表示しておく、あるいは、株価情報の番組への表示切り替えを何回も行う必要があった。
【０００６】
本発明の目的は、上記問題を解決し、所望のデータ放送番組の最新情報を簡単に閲覧することのできる、デジタル放送受信装置およびデータ放送更新通知方法を提供することにある。
【課題を解決するための手段】
【０００７】
本発明の第１のデジタル放送受信装置は、番組を特定可能な文書情報と放送画面を構成する基本的なレイアウトおよび実データに関する文書構成とからコンテンツが構成された少なくとも一つのデータ放送番組を含むデータ放送を受信するチューナーと、更新通知対象であるデータ放送番組に関する前記文書情報および文書構成が関連付けられて格納される記憶部と、前記チューナーにて現在受信されているデータ放送に、前記記憶部に格納されている文書情報を含むコンテンツがあるかどうかを確認する更新通知対象文書確認部と、前記更新通知対象文書確認部にて前記記憶部に格納されている文書情報を含むコンテンツがあると判断されると、該コンテンツの文書構成と前記記憶部に格納された対応する文書構成とを比較し、前記レイアウトが同一で前記実データが異なる場合に、データ更新がなされたと判断するとともに、前記記憶部に格納された対応する文書構成を前記比較したコンテンツの文書構成に基づいて更新する文書更新判定部と、前記文書更新判定部にてデータ更新がなされたと判断されると、その旨のメッセージを外部の表示装置に出力する更新通知部とを有することを特徴する。
【０００８】
上記の構成によれば、所望のデータ放送番組の文書情報および文書構成が記憶部に格納される。そして、チューナーにて現在受信されているデータ放送に、その記憶部に格納されている文書情報を含むコンテンツがあるかどうかが確認され、コンテンツがあると判断された場合には、該コンテンツの文書構成と記憶部に格納された対応する文書構成とが比較される。この比較において、レイアウトが同一で実データが異なると判断された場合に、データ更新がなされたと判断されて、その旨のメッセージが外部の表示装置に表示される。このようにして、所望のデータ放送番組の更新がメッセージとして自動的にユーザに通知される。よって、ユーザは、最新の情報を得るために、所望のデータ放送番組を表示させる必要はない。また、所望のデータ放送番組を表示する必要がないことから、テレビ放送番組を表示している場合に、その表示領域が制限される、といった問題も生じない。加えて、現在受信されているデータ放送に含まれている他の放送番組を表示させることも可能である。
【０００９】
本発明の第２のデジタル放送受信装置は、番組を特定可能な文書情報と放送画面を構成する基本的なレイアウトおよび実データに関する文書構成とからコンテンツが構成された少なくとも一つのデータ放送番組を含むデータ放送を受信する複数のチューナーと、複数の受信チャンネルについて、更新通知対象であるデータ放送番組に関する前記文書情報および文書構成がそれぞれの受信チャンネルを特定可能なチャンネル情報と関連付けて格納される記憶部と、前記記憶部に格納された各チャンネル情報に対応する受信チャンネルの範囲で複数のチューナーのうちの所定のチューナーにおける受信チャンネルの設定を周期的に切り替えるチャンネル自動設定部と、前記所定のチューナーにて現在受信されているデータ放送に、前記記憶部に格納されている文書情報を含むコンテンツがあるかどうかを確認する更新通知対象文書確認部と、前記更新通知対象文書確認部にて前記記憶部に格納されている文書情報を含むコンテンツがあると判断されると、該コンテンツの文書構成と前記記憶部に格納された対応する文書構成とを比較し、前記レイアウトが同一で前記実データが異なる場合に、データ更新がなされたと判断するとともに、前記記憶部に格納された対応する文書構成を前記比較したコンテンツの文書構成に基づいて更新する文書更新判定部と、前記文書更新判定部にてデータ更新がなされたと判断されると、その旨のメッセージを外部の表示装置に出力する更新通知部とを有することを特徴とする。
【００１０】
上記の構成によれば、更新通知対象として記憶部に格納されたデータ放送番組の各受信チャンネルの範囲で所定のチューナーにおける受信チャンネルの設定が周期的に切り替えられる。そして、この所定のチューナーにて現在受信されているデータ放送に、記憶部に格納されている文書情報を含むコンテンツがあるかどうかが確認され、コンテンツがあると判断された場合には、該コンテンツの文書構成と記憶部に格納された対応する文書構成とが比較される。この比較において、レイアウトが同一で実データが異なると判断された場合に、データ更新がなされたと判断されて、その旨のメッセージが外部の表示装置に表示される。このメッセージの表示は、受信チャンネルが切り替わる度に行われる。このようにして、更新通知対象として記憶部に格納された全てのデータ放送番組について、データの更新がメッセージとして自動的にユーザに通知される。この場合も、上述した第１のデジタル放送受信装置と同様な作用を奏する。
【００１１】
また、第１のデジタル放送受信装置の場合は、チューナーが１台であるため、受信チャンネルの異なるデータ放送番組については更新がされたどうかを判断することはできない。例えば、第１の受信チャンネルでデータ放送されているニュース番組をチューナーで受信している場合に、第２の受信チャンネルでデータ放送されている株価番組が更新されたどうかを判断することはできない。これに対して、第２のデジタル放送受信装置の場合は、複数台のチューナーが使用される。例えば２台のチューナーが使用される場合、一方のチューナーが更新通知用として使用され、しかも、受信チャンネルを周期的に切り替えることで、更新通知対象として設定された全ての受信チャンネルのデータ放送番組の更新が自動的に通知されるようになっている。このように、受信チャンネルの異なるデータ放送番組についても、自動更新通知が可能である。
【００１２】
本発明の第１のデータ放送更新通知方法は、番組を特定可能な文書情報と放送画面を構成する基本的なレイアウトおよび実データに関する文書構成とからコンテンツが構成された少なくとも一つのデータ放送番組を含むデータ放送を受信するチューナーを有する受信装置において行われるデータ放送更新通知方法であって、更新通知対象であるデータ放送番組に関する前記文書情報および文書構成を関連付けて前記受信装置の記憶部に格納する第１のステップと、前記チューナーにて現在受信されているデータ放送に、前記記憶部に格納されている文書情報を含むコンテンツがあるかどうかを確認する第２のステップと、前記第２のステップでコンテンツがあると判断された場合に、該コンテンツの文書構成と前記記憶部に格納された対応する文書構成とを比較し、前記レイアウトが同一で前記実データが異なる場合にデータ更新がなされたと判断する第３のステップと、前記第３のステップでデータ更新がなされたと判断された場合に、その旨のメッセージを外部の表示装置に表示させるとともに、前記記憶部に格納された対応する文書構成を前記比較したコンテンツの文書構成に基づいて更新する第４のステップとを含むことを特徴とする。この第１のデータ放送更新通知方法においても、上述した第１のデジタル放送受信装置と同様な作用を奏する。
【００１３】
本発明の第２のデータ放送更新通知方法は、番組を特定可能な文書情報と放送画面を構成する基本的なレイアウトおよび実データに関する文書構成とからコンテンツが構成された少なくとも一つのデータ放送番組を含むデータ放送を受信する２台のチューナーを有する受信装置において行われるデータ放送更新通知方法であって、複数の受信チャンネルに関するデータ放送番組について、前記文書情報および文書構成をそれぞれの受信チャンネルを特定可能なチャンネル情報と関連付けて前記受信装置の記憶部に格納する第１のステップと、前記記憶部に格納された各チャンネル情報に対応する受信チャンネルの範囲で一方のチューナーにおける受信チャンネルの設定を周期的に切り替える第２のステップと、前記一方のチューナーにて現在受信されているデータ放送に、前記記憶部に格納されている文書情報を含むコンテンツがあるかどうかを確認する第３のステップと、前記第３のステップでコンテンツがあると判断された場合に、該コンテンツの文書構成と前記記憶部に格納された対応する文書構成とを比較し、前記レイアウトが同一で前記実データが異なる場合にデータ更新がなされたと判断する第４のステップと、前記第４のステップでデータ更新がなされたと判断された場合に、その旨のメッセージを外部の表示装置に表示させるとともに、前記記憶部に格納された対応する文書構成を前記比較したコンテンツの文書構成に基づいて更新する第５のステップとを含むことを特徴とする。この第２のデータ放送更新通知方法においても、上述した第２のデジタル放送受信装置と同様な作用を奏する。
【発明の効果】
【００１４】
以上のとおり、本発明によれば、データ更新が自動的に通知されるので、最新の情報を簡単に閲覧することができ、従来のものより利便性に優れた受信装置を提供することができる。
【発明を実施するための最良の形態】
【００１５】
次に、本発明の実施形態について図面を参照して説明する。
【００１６】
（実施形態１）
図１は、本発明の第１の実施形態であるデジタル放送受信装置の概略構成を示すブロック図である。このデジタル放送受信装置の主要部は、例えばＣＲＴ、ＬＣＤ、プラズマディスプレイなどの表示デバイスと音声出力デバイスを組み合わせた出力部３に接続される受信装置本体１と、この受信装置本体１を操作するための入力部２からなる。入力部２は、受信装置本体１との間で無線による通信が可能なリモコン、または、受信装置本体１自体に設けられた入力操作部である。
【００１７】
受信装置本体１は、既存のデジタルチューナー部１０に更新通知処理部２０、更新通知対象文書設定／解除部３０および記憶部４０かなる新規の構成を追加したものである。まず、デジタルチューナー部１０の構成について簡単に説明する。
【００１８】
デジタルチューナー部１０は、データ放送を含む地上波デジタル放送やＢＳ／ＣＳデジタル放送を受信するものであって、その主要部は、チューナー１１、映像デコーダー１２、音声デコーダー１３、映像生成部１４、音声生成部１５、データコンテンツデコーダー１６、データコンテンツ解析部１７および表示データ生成部１８からなる。
【００１９】
チューナー１１は、指定入力されたチャンネルのデジタル放送を受信するものである。このチューナー１１にて受信されるデータのうち、映像データは映像デコーダー１２に、音声データは音声デコーダー１３に、データコンテンツはデータコンテンツデコーダー１６にそれぞれ供給される。ここで、映像データおよび音声データはテレビ放送のデータであり、データコンテンツはデータ放送のデータである。受信チャネルは、ユーザが入力部２上で任意に設定することができる。例えば、ユーザは、リモコン上での操作により、所望の放送局からのデジタル放送を受信するためのチャンネルを指定することができる。
【００２０】
映像デコーダー１２は、チューナー１１からの映像データをデコードするものであって、その出力は映像生成部１４に供給されている。映像生成部１４は、映像デコーダー１２の出力から、出力部３にて表示するための映像データを生成する。音声デコーダー１３は、チューナー１１からの音声データをデコードするものであって、その出力は音声生成部１５に供給されている。音声生成部１５は、音声デコーダー１３の出力から、出力部３にて出力するための音声データを生成する。データコンテンツデコーダー１６は、チューナー１１から供給されたデータコンテンツに関するデータをデコードするものであって、その出力はデータコンテンツ解析部１７に供給されている。
【００２１】
データコンテンツ解析部１７および表示データ生成部１８は、よく知られたＢＭＬ（Broadcast Markup Language）ブラウザの機能を実現する部分である。データコンテンツ解析部１７は、データコンテンツデコーダー１６から出力されるＢＭＬ文書の解析、所定の表現形式への変換処理、リモコン操作等によって発生するイベントの処理などを行う。表示データ生成部１８は、データコンテンツ解析部１７による各処理を経たデータを表示できる形式に変換して出力部３に表示させる処理を行う（レンダリング処理）。これらデータコンテンツ解析部１７および表示データ生成部１８における処理により、出力部３の画面上に、受信したチャンネルのデータ放送画面が表示される他、データ放送画面上の各番組に関する項目からリモコンなどで任意の項目を選択して番組表示させることが可能となっている。また、入力部２に予め設けられたデータ放送画面の表示／非表示切替ボタンを押下する、または、データ放送画面上に用意された表示／非表示切替ボタンを選択入力することで、データ放送番組の表示／非表示の切り替えを任意に行うことができる。
【００２２】
図２に、データ放送番組の表示画面のレイアウト例を示す。この表示画面は、ある放送局からのデジタル放送のチャンネルに受信チャンネルを設定した場合の、株価の番組の表示画面である。画面左上に「株価」の項目が表示されており、画面中央には、会社名別に終値および前日比を格納した株価一覧表が表示されている。画面下には、他の番組へのジャンプボタンとして「［青］ニュース」、「［赤］気象情報」、「［緑］スポーツ」、「［黄］占い」の４つのボタンが表示されている。ユーザは、これらジャンプボタンを使って任意の番組を表示させることができる。
【００２３】
上述したデジタルチューナー部１０では、「株価」、「ニュース」、「気象情報」、「スポーツ」、「占い」の各番組のデータ（データコンテンツ）がチューナー１１にて常時受信されてデータコンテンツデコーダー１６を介してデータコンテンツ解析部１７に供給される。データコンテンツ解析部１７では、各番組のデータコンテンツに含まれているアドレス情報（例えば、ＵＲＩ（Uniform Resource Identifier））やタイトルなどが解析され、ユーザが任意に指定した項目（アドレス）に対応するデータコンテンツが表示データ生成部１８に供給される。図２の例では、ユーザは「株価」の項目を選択しているため、データコンテンツ解析部１７では、「株価」のデータコンテンツが表示データ生成部１８に供給される。
【００２４】
次に、本実施形態の特徴となる更新通知処理部２０、更新通知対象文書設定／解除部３０および記憶部４０の構成について説明する。
【００２５】
記憶部４０は、半導体記憶装置やＨＤＤなどからなるものであって、更新通知対象文書情報記憶部４１および更新通知対象文書構成記憶部４２を含む。更新通知対象文書設定／解除部３０は、データ放送番組が表示されている状態で、入力部２に予め設けられている更新通知対象文書指示ボタンが押下されると、その表示されているデータ放送番組を更新通知対象文書として記憶部４０に登録する。例えば、図２に示したように、株価の番組が表示されている状態で更新通知対象文書指示ボタンが押下されると、「株価」の番組が更新通知対象文書として登録される。この登録では、データコンテンツ解析部１７にて解析されたデータに基づいて、更新通知対象文書（番組）を特定する情報として、アドレス情報やタイトルに関する文書情報（以下、単に特定情報という）が更新通知対象文書情報記憶部４１に格納され、更新通知対象文書（番組）の構成情報として、レイアウトおよびその詳細情報（実データ）が更新通知対象文書情報記憶部４１に格納された特定情報と対応付けられて更新通知対象文書構成記憶部４２に格納される。
【００２６】
また、入力部２には、更新通知対象文書指示ボタンの他に、更新通知対象文書設定解除ボタンが用意されており、この更新通知対象文書設定解除ボタンが押下されると、更新通知対象文書設定／解除部３０は、記憶部４０に登録されている更新通知対象文書の一覧を出力部３に表示し、この表示画面上でユーザが任意に選択入力した更新通知対象文書に関する情報を記憶部４０から削除する。この削除では、該当する更新通知対象文書の特定情報および構成情報がともに削除される。
【００２７】
更新通知処理部２０は、記憶部４０に登録された更新通知対象（番組）に関するデータ更新をユーザに通知する手段であって、その構成は、更新通知対象文書確認部２１、文書更新判定部２２および更新通知部２３からなる。
【００２８】
更新通知対象文書確認部２１は、更新通知対象文書情報記憶部４１に格納されている特定情報を参照して、チューナー１１にて受信され、データコンテンツ解析部１７にて解析されたデータコンテンツ（「株価」、「ニュース」、「気象情報」、「スポーツ」、「占い」の各番組のデータコンテンツ（文書））の中に更新通知対象文書（番組）があるかどうかを確認する。更新通知対象文書があった場合は、更新通知対象文書確認部２１は、該当するデータコンテンツ（特定情報および文書構成を含む）を文書更新判定部２２に供給する。
【００２９】
文書更新判定部２２は、更新通知対象文書確認部２１から供給されたデータコンテンツに含まれている特定情報を参照して更新通知対象文書構成記憶部４２から該当する文書構成（前回の文書構成）を取得し、該取得した文書構成と更新通知対象文書確認部２１から供給されたデータコンテンツの文書構成（今回受信した文書構成）とを比較することで、データ更新がなされたか否かを判断する。また、文書更新判定部２２は、データ更新がなされたと判断した場合は、更新通知対象文書構成記憶部４２に格納されている前回の文書構成を今回受信した文書構成に基づいて更新する。この文書構成の更新により、更新通知対象文書構成記憶部４２には、常に最新の文書構成が格納される。
【００３０】
文書更新判定部２２におけるデータ更新の判断では、基本的なレイアウトが同一であるか否かの判定（画面同一性の判定）および詳細なデータが更新されたか否かの判定（詳細情報の更新判定）が行われる。
【００３１】
画面同一性の判定では、例えば図２のような画面表示が行われるデータコンテンツの場合であれば、タイトル（画面左上の「株価」）の位置と内容、表形式、色ボタン（画面下の「［青］ニュース」、「［赤］気象情報」、「［緑］スポーツ」、「［黄］占い」の４つのボタン）の位置と内容がいずれも同じである場合に、基本的なレイアウトが同一であると判定する。詳細情報の更新判定では、一覧表内のデータ（終値および前日比）が異なる場合に、詳細なデータが更新されたと判断する。
【００３２】
通常、ＢＭＬ文書の場合、ボタンや表（一覧表）は矩形枠として表現され、ボタンの表示内容は文字列または画像ファイルとして与えられる。図３に、図２の画面における表現形式の一例を示す。この例では、画面サイズが『(0,0)-(960,540)，背景色：白』とされ、ボタンや表は矩形として表現され、各矩形の情報には、座標、線幅、線色、塗り潰し色、文字列または参照ファイルといった情報が含まれる。このような表現形式の場合は、矩形枠の座標が同一か否かで、基本的なレイアウトが同一か否かを判断することができ、同一の画像ファイルまたは文字列を表示しているか否かで、表示内容が同一であるかどうかを判断することができる。また、一覧表の内容は、バイナリテーブルを利用している場合が多く、そのような場合は、同一のテーブルを参照しているか否かで一覧表の内容が更新された否かを判断することができる。
【００３３】
更新通知部２３は、文書更新判定部２２にて、基本的なレイアウトが同一で、詳細なデータが更新されたと判断された場合に、その旨を示す通知メッセージを出力部３にて表示する。通知メッセージは、例えば更新内容（更新された内容の要約など）を含む。また、更新内容と一緒に更新された文書のアドレス（ＵＲＩ）を表示してもよい。この場合は、表示されたアドレス（ＵＲＩ）を選択入力することで、該当する番組にジャンプするようにすることもできる。
【００３４】
上述したデータコンテンツ解析部１７、表示データ生成部１８、更新通知処理部２０および更新通知対象文書設定／解除部３０における各処理は、予め用意されているプログラムにより実現される。プログラムは、受信装置本体１に内蔵されたＲＯＭなどの記憶装置に格納され、データ処理部（ＣＰＵ）がそのプログラムに従って各処理を実行する。
【００３５】
次に、本実施形態のデジタル放送受信装置の動作を具体的に説明する。
【００３６】
（１）画面表示処理：
この画面表示処理は周知であるので、ここでは簡単に説明する。
【００３７】
ユーザは、まず、入力部２にて、所望の受信チャンネルを選択する。受信装置本体１では、チューナー１１にて、ユーザが選択した受信チャネルでデジタル放送が受信される。受信した映像および音声のデータ（テレビ放送）は、映像デコーダー１２および音声デコーダー１３にてデコードされた後、映像生成部１４および音声生成部１５によって出力部３に表示される（テレビ放送画面の表示）。受信したデータコンテンツ（データ放送）は、データコンテンツデコーダー１６にてデコードされ、データコンテンツ解析部１７にて解析された後、表示データ生成分１８によって出力部３に表示される（データ放送画面の表示）。
【００３８】
データ放送画面の表示では、最初に、データ放送番組の入り口となる画面（インデックス）が表示され、ユーザがＢＭＬブラウザの機能を利用して所望の番組を選択入力することで、その選択された番組が表示される。図２に示した表示例の場合は、インデックス画面に、例えば「株価」、「ニュース」、「気象情報」、「スポーツ」、「占い」といった項目が表示され、ユーザが「株価」の項目を選択入力することで、図２に示したような画面が表示される。
【００３９】
（２）更新通知対象文書設定／解除処理：
（２ａ）更新通知対象の設定：
ユーザは、所望のデータ放送番組を更新通知対象として設定する。この更新通知対象文書の設定では、まず、ユーザが、入力部２を用いた操作により、インデックス画面上で所望のデータ放送番組の項目を選択入力する。受信装置本体１では、表示データ生成部１８がその選択入力された項目のデータコンテンツを出力部３にて表示させる。例えば、インデックス画面上で「株価」を選択された場合には、図２に示したような画面が出力部３にて表示される。
【００４０】
続いて、ユーザが、入力部２の更新通知対象文書指示ボタンを押下すると、更新通知対象文書設定／解除部３０が、現在表示されている番組（データコンテンツ）の情報（特定情報および文書構成）を更新データコンテンツ解析部１７から取得する。そして、更新通知対象文書設定／解除部３０が、特定情報を更新通知対象文書情報記憶部４１に、文書構成を更新通知対象文書構成記憶部４２にそれぞれ格納する。
【００４１】
他の番組を更新通知対象として設定する場合は、ユーザは、該当する他の番組を表示させて更新通知対象文書指示ボタンを押下する。更新通知対象文書指示ボタンが押下されると、更新通知対象文書設定／解除部３０が、表示されている番組（該当する他の番組）の特定情報および文書構成を更新データコンテンツ解析部１７から取得して更新通知対象文書情報記憶部４１および更新通知対象文書構成記憶部４２に格納する。
【００４２】
（２ｂ）更新通知対象設定の解除：
更新通知対象の設定を解除する場合は、ユーザが、入力部２の更新通知対象文書設定解除ボタンを押下する。更新通知対象文書設定解除ボタンが押下されると、更新通知対象文書設定／解除部３０が、更新通知対象文書情報記憶部４１に格納されている特定情報に基づいて、更新通知対象とされている文書の一覧を出力部３にて表示する。この一覧には、文書名（番組名）とともに特定情報が表示される。ユーザが、設定を解除したい文書（番組）を選択入力すると、更新通知対象文書設定／解除部３０が、その選択入力された文書に関する特定情報に基づいて、更新通知対象文書情報記憶部４１から該当する特定情報を削除するとともに、更新通知対象文書構成記憶部４２から該当する文書構成を削除する。削除後、確認のために、更新通知対象文書設定／解除部３０が、更新通知対象とされている現在の文書の一覧を出力部３にて表示させるようにしてもよい。
【００４３】
（３）データ放送更新通知処理：
図４に、データ放送更新通知処理の流れを示す。ユーザは、まず、入力部２にて、所望の受信チャンネルを選択する。受信装置本体１では、チューナー１１にて、ユーザが選択した受信チャネルでデジタル放送が受信される（ステップＳ１０１）。受信データのうち、データコンテンツはデータコンテンツデコーダー１６を介してデータコンテンツ解析部１７に供給され、そこでコンテンツの解析が行われる。
【００４４】
コンテンツの解析が行われると、更新通知対象文書確認部２１が、更新通知対象文書情報記憶部４１に格納されている特定情報を参照して、データコンテンツ解析部１７にて解析されたデータコンテンツの中に更新通知対象文書（番組）があるかどうかを確認する（ステップＳ１０２）。更新通知対象文書がない場合は、本データ放送更新通知処理を終了する。更新通知対象文書がある場合は、更新通知対象文書確認部２１が、該当するデータコンテンツ（特定情報および文書構成を含む）を文書更新判定部２２に供給する。
【００４５】
文書更新判定部２２は、更新通知対象文書確認部２１から供給されたデータコンテンツの特定情報を参照して更新通知対象文書構成記憶部４２から該当する文書構成（前回の文書構成）を取得し、該取得した文書構成と更新通知対象文書確認部２１から供給されたデータコンテンツの文書構成とを比較する（ステップＳ１０３）。次いで、文書更新判定部２２が、その比較結果に基づいて基本的なレイアウトが同一であるか否かを判断する（ステップＳ１０４）。基本的なレイアウトが不一致の場合は、本データ放送更新通知処理を終了する。
【００４６】
基本的なレイアウトが一致した場合は、続いて、文書更新判定部２２が、詳細情報（実データ）が更新された否かを判断する（ステップＳ１０５）。詳細情報が更新されていない場合は、本データ放送更新通知処理を終了する。詳細情報が更新されている場合は、更新通知部２３が、データ更新がなされた旨のメッセージを出力部３にて表示させる（ステップＳ１０６）。
【００４７】
以上のデータ放送更新通知処理によれば、更新通知対象文書指示ボタンで指定した番組（文書）のうちの、現在設定されている受信チャンネルにて受信されている番組（文書）について、画面上に表示させることなく、データの更新をユーザに通知することができる。例えば、図２に示した例では、「株価」を更新対象通知文書として設定しておけば、「ニュース」、「気象情報」、「スポーツ」、「占い」の他の番組を「株価」に代えて表示させている状態でも、「株価」の詳細情報（破線Ａで示した実データ）が変更されると、その旨が画面上に表示される。この表示により、ユーザは、「株価」の番組が更新されたことを知ることができる。
【００４８】
（実施形態２）
第１の実施形態のデジタル放送受信装置では、現在受信しているデータ放送番組の中に更新通知対象として設定された番組がある場合に、その番組のデータ更新が通知されるようになっているが、更新通知対象として設定された全ての受信チャンネルの番組のデータ更新を自動的に調べて通知するようにすることも可能である。ここでは、そのようなデータ更新通知が可能な形態について説明する。
【００４９】
図５は、本発明の第２の実施形態であるデジタル放送受信装置の概略構成を示すブロック図である。このデジタル放送受信装置は、図１に示した構成に、チャンネル自動設定部１００、チューナー１１１およびデータコンテンツデコーダー１１６を追加したものである。図５中、図１に示したものと基本的に同じ部分には同じ符号を付してある。また、便宜上、映像、音声を処理する部分は省略してある。
【００５０】
記憶部４０には、複数の放送局（受信チャンネル）に関するデータ放送番組の特定情報および文書構成がそれぞれの受信チャンネルを特定可能なチャンネル情報と関連付けられて格納される。図６に、更新通知対象文書情報記憶部４１に格納される特定情報の一例を示す。この例では、第１の放送局からのデジタル放送の受信チャンネルＡについて、更新通知対象である番組Ａ１、Ａ２の特定情報が格納され、第２の放送局からのデジタル放送の受信チャンネルＢについて、更新通知対象である番組Ｂ１、Ｂ２の特定情報が格納されている。これと同様に、更新通知対象文書構成記憶部４１にも、受信チャンネルＡ、Ｂごとに、番組Ａ１、Ａ２の文書構成および番組Ｂ１、Ｂ２の文書構成が格納される。
【００５１】
チャンネル自動設定部１００は、チューナー１１１における受信チャンネルの設定を、更新通知対象として記憶部４０に格納されている受信チャンネルの範囲において周期的に切り替える。例えば、図６の例の場合は、更新通知対象文書情報記憶部４１には受信チャンネルＡ、Ｂに関する情報が格納されているので、チャンネル自動設定部１００は、チューナー１１１における受信チャンネルの設定を受信チャンネルＡ、Ｂの間で周期的に切り替える。また、チャンネル自動設定部１００は、チューナー１１１に設定した現在の受信チャンネルを更新通知対象文書確認部２１に通知する。なお、図５には、便宜上、チューナー１１１の出力としてデータコンテンツの出力しか示されていないが、チューナー１１と同様に、チューナー１１１から映像および音声に関するデータが出力され、それぞれ映像、音声のデコーダーでデコードされるように構成することも可能である。
【００５２】
データコンテンツデコーダー１１６は、チューナー１１１で受信されたデータコンテンツをデコードするものである。チャンネル自動設定部１００による制御により、チューナー１１１における受信チャンネルが周期的に切り替わるため、例えば図６の例の場合、データコンテンツデコーダー１１１では、受信チャンネルＡで受信したデータと受信チャンネルＢで受信したデータとが交互に入力されてデコードされる。このデコードされたデータは、データコンテンツ解析部１７に供給される。
【００５３】
データコンテンツ解析部１７は、第１の実施形態で説明したようなデータコンテンツデコーダー１１から供給されるデータの解析を行うとともに、データコンテンツデコーダー１１１から供給されるデータの解析を行う。本実施形態では、このデータコンテンツデコーダー１１１から供給されるデータの解析結果が更新通知処理部２０に供給される。
【００５４】
更新通知処理部２０は、データコンテンツ解析部１７から供給されたデータの解析結果に基づいて、記憶部４０に格納されている更新通知対象文書に関するデータ更新の通知を行う。具体的には、更新通知対象文書確認部２１が、更新通知対象文書情報記憶部４１に格納されている、チャンネル自動設定部１００から通知された現在の受信チャンネルに該当する特定情報を参照して、チューナー１１１にて受信され、データコンテンツ解析部１７にて解析されたデータコンテンツの中に更新通知対象文書（番組）があるかどうかを確認する。更新通知対象文書があった場合は、更新通知対象文書確認部２１が、該当するデータコンテンツ（特定情報および文書構成を含む）を文書更新判定部２２に供給する。文書更新判定部２２は、更新通知対象文書確認部２１から供給されたデータコンテンツに含まれている特定情報を参照して更新通知対象文書構成記憶部４２から該当する文書構成（前回の文書構成）を取得し、該取得した文書構成と更新通知対象文書確認部２１から供給されたデータコンテンツの文書構成とを比較することで、画面同一性の判定および詳細情報の更新判定を行う。更新通知部２３は、基本的なレイアウトが同一で、詳細なデータが更新されていると判断された場合にのみ、その旨を示すメッセージを出力部３にて表示する。
【００５５】
次に、本実施形態のデジタル放送受信装置の動作を具体的に説明する。画面表示処理および更新通知対象文書設定／解除処理は、上述した第１の実施形態のものと同様であるので、ここでは、その説明は省略することとし、特徴となるデータ放送更新通知処理についてのみ説明する。以下では、更新通知対象文書情報記憶部４１に、図６に示したような情報が格納されているものとして動作を説明する。
【００５６】
更新通知対象文書情報記憶部４１には、受信チャンネルＡ、Ｂのデータ放送に関する番組Ａ１、Ａ２、Ｂ１、Ｂ２が更新通知対象として格納されているので、チャンネル自動設定部１００は、チューナー１１１における受信チャンネルの設定をそれら受信チャンネルＡ、Ｂの間で周期的に切り替える。
【００５７】
受信チャネルＡが設定されている期間は、チューナー１１１は、受信チャンネルＡでデジタル放送を受信し、受信したデータコンテンツをデータコンテンツデコーダー１１６に供給する。データコンテンツデコーダー１１６では、チューナー１１１から供給されたデータコンテンツがデコードされる。このデコードされたデータコンテンツはデータコンテンツ解析部１７に供給される。データコンテンツ解析部１７では、データコンテンツデコーダー１１６から供給されたデータコンテンツが解析される。この解析結果は、更新通知処理部２０に供給される。
【００５８】
更新通知処理部２０では、まず、更新通知対象文書確認部２１が、更新通知対象文書情報記憶部４１内の受信チャンネルＡの欄に格納されている番組Ａ１、Ａ２の特定情報を参照して、データコンテンツ解析部１７にて解析されたデータコンテンツの中に番組Ａ１、Ａ２に関する文書があるかどうかを確認する。ここでは、データコンテンツ解析部１７にて解析されたデータコンテンツは、受信チャンネルＡで受信したデータであることから、番組Ａ１、Ａ２に関する文書を含む。よって、更新通知対象文書確認部２１は、更新通知対象文書があると判断して、番組Ａ１、Ａ２に関するデータコンテンツ（特定情報および文書構成を含む）を文書更新判定部２２に供給する。
【００５９】
文書更新判定部２２は、更新通知対象文書確認部２１から番組Ａ１、Ａ２に関するデータコンテンツが供給されると、番組Ａ１、Ａ２のそれぞれについてデータ更新が行われたかどうかを判断する。この判断では、まず、番組Ａ１のデータコンテンツに含まれている特定情報を参照して、更新通知対象文書構成記憶部４２から番組Ａ１に関する文書構成（前回の文書構成）を取得する。そして、その取得した文書構成（前回の文書構成）と更新通知対象文書確認部２１から供給された番組Ａ１に関するデータコンテンツの文書構成とを比較することで、画面同一性の判定および詳細情報の更新判定を行う。これと同様にして、番組Ａ２についても前回の文書構成と比較して画面同一性の判定および詳細情報の更新判定を行う。これらの判定結果は、更新通知部２３に供給される。
【００６０】
更新通知部２３では、基本的なレイアウトが同一で、詳細なデータが更新されていると判断された場合にのみ、その旨を示すメッセージが出力部３に出力される。
【００６１】
受信チャネルＢが設定されている期間は、チューナー１１１は、受信チャンネルＢでデジタル放送を受信する。受信したデータコンテンツは、データコンテンツデコーダー１１６でデコードされた後、データコンテンツ解析部１７に供給される。データコンテンツ解析部１７では、データコンテンツデコーダー１１６から供給されたデータコンテンツが解析される。この解析結果は、更新通知処理部２０に供給される。
【００６２】
更新通知処理部２０では、まず、更新通知対象文書確認部２１が、更新通知対象文書情報記憶部４１内の受信チャンネルＢの欄に格納されている番組Ｂ１、Ｂ２の特定情報を参照して、データコンテンツ解析部１７にて解析されたデータコンテンツの中に番組Ｂ１、Ｂ２に関する文書があるかどうかを確認する。ここでは、データコンテンツ解析部１７にて解析されたデータコンテンツは、受信チャンネルＢで受信したデータであることから、番組Ｂ１、Ｂ２に関する文書を含む。よって、更新通知対象文書確認部２１は、更新通知対象文書があると判断して、番組Ｂ１、Ｂ２に関するデータコンテンツ（特定情報および文書構成を含む）を文書更新判定部２２に供給する。
【００６３】
文書更新判定部２２は、更新通知対象文書確認部２１から番組Ｂ１、Ｂ２に関するデータコンテンツが供給されると、番組Ｂ１、Ｂ２のそれぞれについてデータ更新が行われたかどうかを判断する。この判断では、まず、番組Ｂ１のデータコンテンツに含まれている特定情報を参照して、更新通知対象文書構成記憶部４２から番組Ｂ１に関する文書構成（前回の文書構成）を取得する。そして、その取得した文書構成（前回の文書構成）と更新通知対象文書確認部２１から供給された番組Ｂ１に関するデータコンテンツの文書構成とを比較することで、画面同一性の判定および詳細情報の更新判定を行う。これと同様にして、番組Ｂ２についても前回の文書構成と比較して画面同一性の判定および詳細情報の更新判定を行う。これらの判定結果は、更新通知部２３に供給される。
【００６４】
更新通知部２３では、基本的なレイアウトが同一で、詳細なデータが更新されていると判断された場合にのみ、その旨を示すメッセージが出力部３に出力される。
【００６５】
以上のデータ放送更新通知処理によれば、ユーザが異なる受信チャンネルの番組を更新通知対象として指定した場合でも、チューナー１１１にてそれら受信チャンネルのデータが周期的に受信されて更新通知処理部２０にて自動的にデータ更新が判断される。よって、更新通知対象として指定された全ての番組について、放送内容の更新をユーザに通知することができる。
【００６６】
なお、上述した構成および動作は、一例であって、適宜変更である。例えば、チューナーは３台以上設けられてもよい。ただし、コスト的な面を考慮すると、チューナーの数は２台が望ましい。
【００６７】
また、チャンネル自動設定部１００が、チューナー１１１に設定した現在の受信チャンネルを更新通知対象文書確認部２１に通知することで、更新通知対象文書確認部２１における確認が、チューナー１１１に設定される受信チャネルと同期するようになっているが、記憶部４０に格納されている受信チャンネルの数が少ない場合は、そのような同期をとらない構成としてもよい。この場合は、更新通知対象文書確認部２１は記憶部４０に格納されている全ての受信チャンネルに関する特定情報を参照して更新通知対象文書が含まれているかどうかの確認を行う。
【００６８】
さらに、チャンネル自動設定部１００による受信チャネルの切り替え周期を、入力部２にてユーザが任意に設定するように構成してもよい。これにより、受信チャンネルの切り替えを、更新通知対象として記憶部４０に登録したデータ放送番組の放送内容の更新周期に応じた最適な周期で行うことができる。
【００６９】
（実施形態３）
第１および第２の実施形態のデジタル放送受信装置において、データ更新の通知がなされた場合に、その通知のための画面上に更新された番組（文書）へダイレクトにジャンプするためのボタンを表示し、ユーザがそのボタンを選択入力することで、更新された番組（文書）への画面切り替えが行われるようにすることも可能である。ここでは、そのようなジャンプ機能を有する形態について説明する。
【００７０】
図７は、本発明の第３の実施形態であるデジタル放送受信装置の概略構成を示すブロック図である。このデジタル放送受信装置は、図１に示した構成に、更新文書指定処理部５０を追加したものである。図７中、図１に示したものと基本的に同じ部分には同じ符号を付してある。説明の重複を避けるために、ここでは、第１の実施形態のものと異なる点のみを説明する。
【００７１】
更新通知部２３は、文書更新判定部２２にて、基本的なレイアウトが同一で、詳細情報が更新されたと判断された場合に、出力部３にて、その旨のメッセージを表示させるとともに、更新された文書（番組）へのジャンプボタンを表示させる。この場合のメッセージとして、『「株価」ページが更新されました。[ジャンプ]ボタンを押すと更新ページを表示することができます。』といったメッセージが考えられる。
【００７２】
文書更新判定部２２は、基本的なレイアウトが同一で、詳細情報が更新されたと判断した文書の特定情報（アドレス）を更新文書指定処理部５０に供給する。更新文書指定処理部５０は、データ更新通知の画面上で、ユーザが入力部２での操作により、ジャンプボタンを選択入力すると、データコンテンツ解析部１７に対して、文書更新判定部２２から供給された更新文書の特定情報（アドレス）へのジャンプを指示する。データコンテンツ解析部１７は、更新文書指定処理部５０から更新文書の特定情報（アドレス）へのジャンプ指示を受けると、その特定情報（アドレス）に基づいて、該当するデータコンテンツの解析結果を表示データ生成部１８に供給する。これにより、画面上では、更新された文書（番組）が表示される。
【００７３】
次に、本実施形態のデジタル放送受信装置の動作について説明する。画面表示処理および更新通知対象文書設定／解除処理は、第１の実施形態のものと同じであるので、ここではその説明は省略する。本実施形態では、データ放送更新通知処理の一部が第１の実施形態の場合と異なる。
【００７４】
図８に、データ放送更新通知処理の流れを示す。ステップＳ１０１〜Ｓ１０６までは、第１の実施形態の場合と同様に行われる。ただし、ステップＳ１０６では、ジャンプボタンを含むデータ更新通知の画面が表示される。このデータ更新通知の画面上で、ジャンプボタンが選択入力されると、更新文書指定処理部５０が、更新文書への移動が指示されたと判断して（ステップＳ１０７）、データコンテンツ解析部１７に対して、文書更新判定部２２から供給された更新文書の特定情報（アドレス）へのジャンプを指示する。そして、データコンテンツ解析部１７が、ジャンプ指示にしたがって、該当するデータコンテンツの解析結果を表示データ生成部１８に供給する。これにより、画面上では、更新された文書（番組）が表示される（ステップＳ１０８）。
【００７５】
上述のデータ放送更新通知処理によれば、ユーザは、ジャンプボタンを選択入力することで、簡単に更新文書（番組）を閲覧することができる。
【００７６】
なお、以上の説明では、第１の実施形態の構成においてジャンプ機能を追加した構成としたが、第２の実施形態においても同様の構成を採用することができる。
【００７７】
（実施形態４）
第１乃至第３の実施形態のデジタル放送受信装置において、更新通知対象の設定を行うには、ユーザは、所望の番組を表示させた状態で更新通知対象文書指示ボタンを押下する必要があるが、この更新通知対象の設定を自動で行うようにすることもできる。ここでは、そのような自動設定が可能な学習機能を備える形態について説明する。
【００７８】
図９は、本発明の第４の実施形態であるデジタル放送受信装置の、更新通知対象文書設定／解除部の構成を示すブロック図である。本実施形態のデジタル放送受信装置は、図１に示した構成において、更新通知対象文書設定／解除部３０に更新通知対象文書学習部３１を追加したものである。これ以外の部分は、図１に示したものと同じである。説明の重複を避けるために、ここでは、第１の実施形態のものと異なる点のみを説明する。
【００７９】
本実施形態では、デジタルチューナー部１０の起動後から所定の期間が、更新文対象文書を決定するための学習期間とされる。更新通知対象文書学習部３１は、学習期間において、データコンテンツ解析部１７が表示させたデータコンテンツ、すなわち、ユーザがＢＭＬブラウザにより閲覧した番組の履歴をとる。具体的には、更新通知対象文書学習部３１は、閲覧した年月日および時間（時刻）といった情報を閲覧した番組を特定する情報（アドレスやタイトル）と関連付けられて不図示の履歴用の記憶装置に格納する。また、更新通知対象文書学習部３１は、その記憶装置に格納された履歴に基づいて、特定の条件を満たす番組を更新通知対象として記憶部４０に登録する。ここで、特定の条件を満たす番組とは、ユーザの嗜好にあった番組であって、例えば、毎日、所定の回数以上の閲覧が行われた番組である。記憶部４０への更新通知対象文書の登録は、第１の実施形態における登録と同じで、更新通知対象文書の特定情報、文書構成がそれぞれ更新通知対象文書情報記憶部４１、更新通知対象文書構成記憶部４２に格納される。
【００８０】
上記の更新通知対象文書学習部３１による更新通知対象文書の登録によれば、ユーザの嗜好にあった番組が更新通知対象として記憶部４０に自動的に登録される。よって、ユーザは、更新通知対象文書を設定するために、わざわざ番組を表示させて指定する、といった操作を行う必要がなくなるので、利便性がさらに向上する。
【００８１】
上述した更新通知対象文書の自動登録は適宜変更可能である。例えば、更新通知対象文書学習部３１が、単に、閲覧回数が所定数を超えた番組の情報を出力部３にて表示させて、ユーザに更新通知対象文書の登録を行うかどうかを判断させることもできる。この場合、登録用ボタンおよびキャンセルボタンを表示させ、登録用ボタンが選択された場合は、表示した番組を更新通知対象として登録し、キャンセルボタンが選択された場合は、事前の表示画面に戻るようにしてもよい。
【００８２】
なお、以上の説明は第１の実施形態の構成において更新通知対象文書学習部を追加した構成としたが、第２および第３の実施形態においても同様の構成を採用することができる。
【００８３】
（実施形態５）
第１乃至第４の実施形態のデジタル方法受信装置では、更新通知部は、データ更新がなされた旨のメッセージを表示するようになっているが、このメッセージとして、データ更新内容を要約したメッセージを表示することもできる。ここでは、そのようなデータ更新内容の要約が可能な形態について説明する。
【００８４】
図１０は、本発明の第５の実施形態であるデジタル放送受信装置の、更新通知処理部および記憶部の構成を示すブロック図である。本実施形態のデジタル放送受信装置は、図１に示した構成において、更新通知処理部２０の更新通知部２３に通知内容要約部２４を追加し、記憶部４０に要約定型文記憶部４３を追加したものである。これ以外の部分は、図１に示したものと同じである。説明の重複を避けるために、ここでは、第１の実施形態のものと異なる点のみを説明する。
【００８５】
要約定型文記憶部４３には、データ放送番組毎に、データ更新要約作成用の定型文が予め格納されている。例えば、気象情報の番組であれば、
・［日付］−［日付］までの週間天気予報になりました。
【００８６】
・［日付］の［地名］の最高気温が［数値］度になりました。
【００８７】
・［日付］の［地名］の画像ファイルが［文字列］になりました。
といった定型文が予め格納される。また、株価の番組であれば、
・［種類］の更新件数が［数値］件あります。
【００８８】
・［銘柄］の株価が［数値］円になりました。
といった定型文が予め格納される。ここで、『［］』内は可変要素である。
【００８９】
通知内容要約部２４は、データ更新のメッセージを表示させる際に、データ更新内容に基づいて要約定型文記憶部４３から最適な定型文を取得するとともに、その取得した定型文の『［］』の可変要素に対応する情報をデータコンテンツ解析部１７から取得してその定型文に組み込む。こうして作成したデータ更新の要約がメッセージとして表示される。
【００９０】
上記のデータ更新の要約によれば、ユーザは、表示された要約から簡単にデータ更新の内容を把握することができる。
【００９１】
なお、以上の説明は第１の実施形態の構成においてデータ更新を要約する部分を追加した構成としたが、第２乃至第４の実施形態においても同様の構成を採用することができる。
【００９２】
（実施形態６）
第１乃至第５の実施形態のデジタル方法受信装置では、データ更新がなされた旨のメッセージを表示する、または、その要約を表示するようになっているが、データ更新がなされた番組の画面を一覧表示させることもできる。ここでは、そのような一覧表示が可能な形態について説明する。
【００９３】
図１１は、本発明の第６の実施形態であるデジタル放送受信装置の構成を示すブロック図である。本実施形態のデジタル放送受信装置は、図１に示した構成において、サムネイル画像生成部６０を追加したものである。これ以外の部分は、図１に示したものと同じである。説明の重複を避けるために、ここでは、第１の実施形態のものと異なる点のみを説明する。
【００９４】
文書更新判定部２２は、データ更新がなされたと判断した番組に関する情報（特定情報）をサムネイル画像生成部６０に供給する。サムネイル画像生成部６０は、文書更新判定部２２からの情報（特定情報）に基づいて、データコンテンツ解析部１７から表示データ生成部１８を通じてデータ更新がなされた番組の表示データを取得するとともに、該取得した表示データを適当なサイズに縮小してサムネイル画像データを生成し、該生成したサムネイル画像データを出力部３にて表示させる。このサムネイル画像生成部６０によるサムネイル画像の表示では、複数の番組のサムネイル画像の表示が可能である。
【００９５】
上記のサムネイル画像の表示によれば、ユーザは、表示されたサムネイル画像の一覧から簡単にデータ更新のあった番組を把握することができる。
【００９６】
なお、以上の説明は第１の実施形態の構成においてサムネイル画像生成部６０を追加した構成としたが、第２乃至第５の実施形態においても同様の構成を採用することができる。
【００９７】
以上説明した各実施形態において、その構成および動作は本発明の趣旨を逸脱しない範囲で適宜変更することができる。例えば、図４のステップＳ１０４の判断で「Ｎｏ」となった場合に、レイアウトが大きく変わった旨のメッセージを表示するようにしてもよい。これにより、ユーザは、レイアウトが変わった場合に、即座に記憶部４０内の対応する文書構成を更新することができる。また、ＢＭＬ文書以外のもの、例えばＨＴＭＬ、ＸＭＬ、ＭＨＥＧといったものにも適用することができる。
【図面の簡単な説明】
【００９８】
【図１】本発明の第１の実施形態であるデジタル放送受信装置の概略構成を示すブロック図である。
【図２】データ放送番組の表示画面のレイアウト例を示す模式図である。
【図３】図２の画面における表現形式の一例を示す図である。
【図４】図１に示すデジタル放送受信装置の動作を説明するためのフローチャートである。
【図５】本発明の第２の実施形態であるデジタル放送受信装置の概略構成を示すブロック図である。
【図６】図５に示す更新通知対象文書情報記憶部に格納される特定情報の一例を示す図である。
【図７】本発明の第３の実施形態であるデジタル放送受信装置の概略構成を示すブロック図である。
【図８】図７に示すデジタル放送受信装置の動作を説明するためのフローチャートである。
【図９】本発明の第４の実施形態であるデジタル放送受信装置の構成を説明するためのブロック図である。
【図１０】本発明の第５の実施形態であるデジタル放送受信装置の構成を説明するためのブロック図である。
【図１１】本発明の第６の実施形態であるデジタル放送受信装置の構成を示すブロック図である。
【符号の説明】
【００９９】
１  受信装置本体
２  入力部
３  出力部
１０  デジタルチューナー部
１１、１１１  チューナー
１２  映像デコーダー
１３  音声デコーダー
１４  映像生成部
１５  音声生成部
１６、１１６  データコンテンツデコーダー
１７  データコンテンツ解析部
１８  表示データ生成部
２０  更新通知処理部
２１  更新通知対象文書確認部
２２  更新文書判定部
２３  更新通知部
２４  通知内容要約部
３０  更新通知対象文書設定／解除部
３１  更新通知対象文書学習部
４０  記憶部
４１  更新通知対象文書情報記憶部
４２  更新通知対象文書構成記憶部
４３  要約定型文記憶部
５０  更新文書指定処理部
６０  サムネイル画像生成部
１００  チャンネル自動設定
【図１】
2005277855.tif 000003
【図２】
2005277855.tif 000004
【図３】
2005277855.tif 000005
【図４】
2005277855.tif 000006
【図５】
2005277855.tif 000007
【図６】
2005277855.tif 000008
【図７】
2005277855.tif 000009
【図８】
2005277855.tif 000010
【図９】
2005277855.tif 000011
【図１０】
2005277855.tif 000012
【図１１】
2005277855.tif 000013